(57)【要約】【課題】簡単な構成及び制御方法を有する補助電源によりＤＣ負荷に対して電力を供給し、急峻な変化に対しても電源ラインの供給可能電力を超えない画像形成装置を提供する。【解決手段】本発明の画像形成装置は、ＡＣ電力とＤＣ電力とを負荷に供給する電源装置を有する画像形成装置であって、前記ＤＣ電力が充電されたキャパシタを有し、前記キャパシタに充電されたＤＣ電力は、電源投入後又はオフモードからの復帰後の所定期間、前記負荷に供給される。【選択図】図２
2007127726.tif 000002
【特許請求の範囲】
【請求項１】
ＡＣ電力とＤＣ電力とを負荷に供給する電源装置を有する画像形成装置において、
前記ＤＣ電力が充電されたキャパシタを有し、
前記キャパシタに充電されたＤＣ電力は、電源投入後又はオフモードからの復帰後の所定期間、前記負荷に供給されることを特徴とする画像形成装置。
【請求項２】
ＡＣ電力とＤＣ電力とを負荷に供給する電源装置を有する画像形成装置において、
前記ＤＣ電力が充電されたキャパシタを有し、
前記キャパシタに充電されたＤＣ電力は、定着リロード期間、前記負荷に供給されることを特徴とする画像形成装置。
【請求項３】
ＡＣ電力とＤＣ電力とを負荷に供給する電源装置を有する画像形成装置において、
前記ＤＣ電力が充電されたキャパシタを有し、
前記キャパシタに充電されたＤＣ電力は、定着リロード期間終了後の所定期間、前記負荷に供給されることを特徴とする画像形成装置。
【請求項４】
ＡＣ電力とＤＣ電力とを負荷に供給する電源装置を有する画像形成装置において、
前記ＤＣ電力が充電されたキャパシタを有し、
前記キャパシタに充電されたＤＣ電力は、定着リロード期間及び定着リロード期間終了後の所定期間、前記負荷に供給されることを特徴とする画像形成装置。
【請求項５】
前記キャパシタは、電気二重層コンデンサであることを特徴とする、請求項１乃至４のうちいずれか一項記載の画像形成装置。
【発明の詳細な説明】
【技術分野】
【０００１】
本発明は、画像形成装置、特にＤＣ負荷に対して補助電源により電力を供給し、消費電力が電源ラインの供給可能な電力を超えないようにする電力の平準化技術に関する。
【背景技術】
【０００２】
近年電子写真プロセスを利用した複写機、プリンタ、ファクシミリ及びこれらを組み合わせた複合機は多機能化しており、これに伴って構造も複雑化し、最大消費電力が増大する傾向となっている。
【０００３】
また、定着装置の立ち上がりまでの待ち時間及びプリント又はコピー動作中における定着温度低下による動作の一時中断等の画像形成装置自体の要因並びに操作者の待ち時間を少なくするために定着加熱装置への供給電力を増大する傾向となっている。
【０００４】
これに対して通常の電源ラインからの供給可能な電力には制限があるため、これが機器を設計する上での大きな制約となっている。
【０００５】
負荷電力平準化についての従来技術としては、特開２００２−１９９５８８号公報（特許文献１参照。）において、主電源の供給電力を監視する手段を設けて、主電源の供給電力が予め決められた所定値より少ないときには補助電源を充電し、主電源の供給電力が予め決められた所定値より多いときには補助電源に蓄積した電力を放電することで、急峻に変化する電力を比較的短時間で平準化する技術が開示されている。
【０００６】
また、特開２００４−２３６４９２号公報（特許文献２参照。）では、使用消費電力を予測し、予測した消費電力が主電源の供給可能電力を超える場合に、補助電源から一部の負荷に電力を供給することによって電源ラインの最大供給可能電力を超えないように制御される電源装置が開示されている。
【特許文献１】特開２００２−１９９５８８号公報
【特許文献２】特開２００４−２３６４９２号公報
【発明の開示】
【発明が解決しようとする課題】
【０００７】
しかし、特許文献１で開示された発明では、使用電力を監視して、主電源の供給電力が所定の閾値を超えたときに補助電源から電力を供給するというフィードバック制御を行っているが、使用電力の変化が予想以上に急峻である場合には主電源の電力供給能力を超えてしまうという不具合があった。あるいは、このような不具合を回避するために閾値を下げて補助電源を更に早く作動させる場合、補助電源の使用時間を長くするために補助電源の容量を更に大きくする必要があるので、コスト及び装置規模の増大を招いてしまうという問題がある。
【０００８】
また、特許文献２で開示された発明では、使用電力を予測するので、多大なデータが必要となり、そのため制御が複雑になってしまうという問題がある。
【０００９】
そこで、本発明は、簡単な構成で、急峻な負荷の変化に対しても電源供給を可能にする画像形成装置の提供を目的とする。
【課題を解決するための手段】
【００１０】
上記目的を達成するために、本発明の画像形成装置は以下のような特徴を有する。
【００１１】
本発明の画像形成装置は、ＡＣ電力とＤＣ電力とを負荷に供給する電源装置を有する画像形成装置であって、前記ＤＣ電力が充電されたキャパシタを有し、前記キャパシタに充電されたＤＣ電力は、電源投入後又はオフモードからの復帰後の所定期間、前記負荷に供給されることを特徴とする。
【００１２】
これにより、補助電源、即ちキャパシタによりＤＣ負荷に対して電力を供給し、急峻な負荷の変化に対しても電源ラインの供給可能電力を超えない画像形成装置を提供することができる。またキャパシタによる負荷への電力供給は所定期間実施されるが、この所定期間は、必要な補助電力量を予め求め、それに応じてキャパシタの容量を決定することによって決まるので、簡単な制御で補助電源を効率的に使用することができる。
【００１３】
また、本発明の画像形成装置は、ＡＣ電力とＤＣ電力とを負荷に供給する電源装置を有する画像形成装置であって、前記ＤＣ電力が充電されたキャパシタを有し、前記キャパシタに充電されたＤＣ電力は、定着リロード期間、前記負荷に供給されることを特徴とする。
【００１４】
これにより、ＡＣ電力ラインの最大供給電力に対する余裕分を定着過熱装置に供給することが可能となるので、装置の立ち上げ時間を短縮することができる。
【００１５】
なお、本発明における「定着リロード期間」とは、画像形成装置の主電源スイッチがオンとされてからプリント動作が開始されるまでの期間を言う。
【００１６】
また、本発明の画像形成装置は、ＡＣ電力とＤＣ電力とを負荷に供給する電源装置を有する画像形成装置であって、前記ＤＣ電力が充電されたキャパシタを有し、前記キャパシタに充電されたＤＣ電力は、定着リロード期間終了後の所定期間、前記負荷に供給されることを特徴とする。
【００１７】
これにより、ＡＣ電力ラインの最大供給電力に対する余裕分を定着加熱装置に供給することが可能となるので、通紙による定着温度の落ち込みを防止することができる。更に、その結果、搬送スピードの向上を図ることができる。
【００１８】
また、本発明の画像形成装置は、ＡＣ電力とＤＣ電力とを負荷に供給する電源装置を有する画像形成装置であって、前記ＤＣ電力が充電されたキャパシタを有し、前記キャパシタに充電されたＤＣ電力は、定着リロード期間及び定着リロード期間終了後の所定期間、前記負荷に供給されることを特徴とする。
【００１９】
これにより、プリント開始時の温度低下が抑制されて、リロード温度を低く設定することが可能となるので、立ち上がり時間を更に短縮させることができる。
【００２０】
また、本発明の画像形成装置は、前記キャパシタが電気二重層コンデンサであることを特徴とする。
【００２１】
これにより、ランニングコストを低下させることができ、更に低消費電力化も可能となる。
【発明の効果】
【００２２】
本発明の画像形成装置によれば、簡単な構成で、急峻な負荷の変化に対しても電源供給が可能となる。
【発明を実施するための最良の形態】
【００２３】
本発明の実施例について図面を参照して以下で説明する。
【実施例】
【００２４】
〔画像形成装置の構成〕
図１は、本発明による画像形成装置の概略構成例を示す断面図である。図１に示す画像形成装置１は、デジタル複合機であり、複写機能、プリンタ機能及びファクシミリ機能等を有する。操作部（図示せず）のアプリケーション切替えキーによりこれらの機能を順次に切替えて選択することが可能となっており、複写機能の選択時には複写モード、プリンタ機能選択時にはプリンタモード、及びファクシミリ機能の選択時にはファクシミリモードとなる。また、画像形成装置１は、自動原稿送り装置（ＡＤＦ；Ａｕｔｏｍａｔｉｃ  Ｄｏｃｕｍｅｎｔ  Ｆｅｅｄｅｒ）１０と、画像読み取り装置２０と、光書き込みユニット３０と、プリンタユニット４０と、キャパシタユニット５０とを有する。
【００２５】
ＡＤＦ１０は、それの上に置かれた原稿を自動的に画像読み取り装置２０に送る装置である。画像読み取り装置２０は、ＡＤＦ１０によって送られてきた原稿の画像情報を読み取る装置である。光書き込みユニット３０は、画像読み取り装置２０で読み取られた画像情報を光情報に変換する装置である。プリンタユニット４０は、光書き込みユニット３０で変換された光情報に基づいて、読み取られた原稿と同じ画像を用紙に転写する装置であり、感光体ドラム１１１と、現像装置１１２と、搬送ベルト１１３と、定着装置１１４とを有する。感光体ドラム１１１は、光書き込みユニット３０からの光情報により露光されることによって静電潜像を形成する装置である。現像装置１１２は、感光体ドラム１１１上に形成された静電潜像を現像してトナー像を形成する装置である。搬送ベルト１１３は、現像装置１１２で形成されたトナー像を用紙に転写する装置である。定着装置１１４は、搬送ベルト１１３で転写されたトナー像を定着し、トナー像が定着した用紙を排出する装置である。また、キャパシタユニット５０は、画像形成装置のＤＣ負荷に対する補助電源であり、詳細は後述する。
〔画像形成装置の動作〕
上述した複数の機能のうち複写モードを例に挙げて、画像形成装置１の動作を説明する。
【００２６】
複数枚の原稿から成る原稿束がＡＤＦ１０に置かれると、ＡＤＦ１０は、原稿を一枚ずつ順に画像読み取り装置２０に送る。画像読み取り装置２０は、送られてきた原稿の画像情報を読み取る。画像読み取り装置２０で読み取られた画像情報は、画像処理手段（図示せず）で補正及び処理を実施された後、光書き込みユニット３０において光情報に変換される。この光情報は、帯電器（図示せず）によって一様に帯電された感光体ドラム１１１を露光し、その結果静電潜像が形成される。感光体ドラム１１１上に形成された静電潜像は、現像装置１１２により現像されてトナー像となる。このトナー像は、搬送ベルト１１３によって用紙に転写され、定着装置１１４によって定着される。最後に、トナー像が定着した用紙が定着装置１１４より排出される。
〔電源部の構成〕
図２は、図１の画像形成装置の電源部のブロック図の例である。図１の画像形成装置の電源部は、ＡＣ電源６１に接続されており、主電源スイッチ６０と、主電源部６２と、キャパシタ充電器６３と、キャパシタ６４と、キャパシタコンバータ６５と、切替え回路６６と、＋５Ｖ系負荷６７ａと、第一及び第二の＋２４Ｖ系負荷６７ｂ、６７ｃと、定着加熱装置６８と、制御部７０とを有する。
【００２７】
主電源スイッチ６０は、画像形成装置の電源をオン又はオフとするためのスイッチであり、これがオンとされたときに、画像形成装置はＡＣ電源６１から電力供給を受けることができる。主電源部６２は、画像形成装置の機能を実行する各部に電力を供給するための手段であり、ＡＣ／ＤＣコンバータ６２ａと定着ヒータ駆動回路６２ｂとを有する。ＡＣ／ＤＣコンバータ６２ａは、ＡＣ電源６１から供給されたＡＣ電力をＤＣ電力に変換する手段であり、変換されたＤＣ電力は夫々のＤＣ負荷に供給される。定着ヒータ駆動回路６２ｂは、定着加熱装置６８を駆動するための回路である。キャパシタ充電器６３は、ＡＣ電源６１から供給されたＡＣ電力をＤＣ電力に変換して、変換したＤＣ電力をキャパシタ６４に充電する回路である。キャパシタ６４は、画像形成装置の補助電源であり、電気二重層コンデンサ等の大容量のキャパシタで構成されている。補助電源としては、電気二重層コンデンサ以外も使用可能であるが、本実施例では短時間での充放電が可能で、長寿命である電気二重層コンデンサを用いている。キャパシタコンバータ６５は、キャパシタ６４から放電された電圧が一定となるように電圧を調整する手段である。キャパシタ６４として用いられている電気二重層コンデンサは、放電するに従ってその端子間電圧が低くなるという特徴を有しているので、キャパシタ６４の後にキャパシタコンバータ６５を設けて、その出力を一定にする必要がある。キャパシタコンバータ６５としては、キャパシタの充電電圧及び使用下限電圧仕様に応じて、昇圧コンバータ、降圧コンバータ又は昇降圧コンバータのいずれかを使用する。切替え回路６６は、第二の＋２４Ｖ系負荷６７ｃに供給される電力を、ＡＣ電源６１から供給されるＡＣ電力からＡＣ／ＤＣコンバータ６２ａで変換されたＤＣ電力と、キャパシタ６４に充電された電力からキャパシタコンバータ６５を介して供給されるＤＣ電力とで切替える手段である。＋５Ｖ系負荷６７ａ、第一及び第二の＋２４Ｖ系負荷６７ｂ、６７ｃは、ＤＣ負荷であり、５Ｖ又は２４Ｖで駆動し、画像形成装置の機能を実行する負荷である。定着加熱装置６８は、図１の定着装置１１４を加熱するための装置であり、本実施例ではＡＣ電力で駆動するＡＣ負荷である。制御部７０は、画像形成装置の全体を制御する手段であり、定着ヒータ駆動回路６２ｂ、キャパシタ充電器６３、キャパシタコンバータ６５及び切替え回路６６の動作も制御する。この制御の詳細は後述する。
〔電源部の動作〕
図２で示される電源部の動作を説明する。
【００２８】
主電源スイッチ６０がオンとされると、ＡＣ電源６１から主電源部６２及びキャパシタ充電器６３にＡＣ電力が供給される。主電源部６２に供給されたＡＣ電力の一部は、主電源部６２のＡＣ／ＤＣコンバータ６２ａによってＤＣ電力に変換される。変換されたＤＣ電力は、直接的に＋５Ｖ系負荷６７ａ及び第一の＋２４Ｖ系負荷６７ｂに、切替え回路６６を介して第二の＋２４Ｖ系負荷６７ｃに供給される。主電源部６２に供給された残りのＡＣ電力は、定着ヒータ駆動回路６２ｂを介して定着加熱装置６８に供給される。一方、キャパシタ充電器６３に供給されたＡＣ電力は、キャパシタ充電器６３によってＤＣ電力に変換される。変換されたＤＣ電力は、キャパシタ６４に充電される。
【００２９】
デジタル複合機である画像形成装置の各動作モードに応じて、制御部７０はＤＣ負荷６７ａ、６７ｂ及び６７ｃを順次動作させる。また、制御部７０は、キャパシタ充電器６３及びキャパシタコンバータ６５を制御することによりキャパシタ６４の充放電の制御を行っており、画像形成装置の立ち上げ時及び立ち上げ後所定の時間が経過するまでの期間では、キャパシタ６４に蓄えられた電力を放電するように動作する。キャパシタ６４の電力は、キャパシタコンバータ６５により所望の電圧値（本実施例では＋２４Ｖ。）となるよう調整される。更に、このとき、制御部７０は、キャパシタ６４の電力が第二の＋２４Ｖ負荷に供給されるように切替え回路６６を切替える。キャパシタ６４から第二の＋２４Ｖ負荷に電力が供給されることにより、ＡＣ電源６１の供給電力には余裕分が生じる。制御部７０によって定着ヒータ駆動回路６２ｂを制御して、この余裕分を定着加熱装置６８に供給される電力に加える。結果として、定着加熱装置６８に供給される電力を増大することができる。
〔補助電源の供給タイミング〕
図３は、図１の画像形成装置の立ち上げ時の消費電力の遷移をグラフ化した図であり、横軸に時間、縦軸に装置の総消費電力を示す。点線は、ＡＣ電源の供給可能な電力である。図３において、主電源スイッチがオンとされた直後からプリント動作が開始されるまでの立ち上がり期間を「定着リロード期間（１）」、定着リロード期間後、プリント動作開始時から所定時間が経過するまでの期間を「第一の動作期間（２a）」、所定時間経過後の期間を「第二の動作期間（２ｂ）」とする。なお、ここで言う「プリント動作」とは、図１において、用紙に転写されたトナー像が定着装置１１４によって定着されて、排出される動作のことである。また、ここで言う「所定時間」とは、プリント動作開始時からＤＣ負荷が過渡的に増大している間の時間のことである。
【００３０】
定着リロード期間（１）では、装置に要求される立ち上げ時間を満足させるため、安定した使用状態のときよりも多くの電力を図２の定着加熱装置６８に供給して、可能な限り早く定着装置をプリントが可能な温度まで加熱する必要がある。従って、図３で示されているように、定着加熱装置への供給電力である定着電力は増大されるが、この増大は、ＤＣ負荷で使用される電力も含めた画像形成装置の総消費電力がＡＣ電源の供給可能電力を超えない程度に成されなければならない。
【００３１】
第一の動作期間（２ａ）では、定着装置の温度がプリント可能な温度に達しているので、その温度を維持するための定着電力は、期間（１）よりも小さくなっている。しかし、期間（２ａ）では、プリント動作が開始されているので、モータ等の起動により期間（１）よりもＤＣ負荷が増大し、ＤＣ負荷の使用電力も増大している。このような定着電力とＤＣ負荷の使用電力との総和である総消費電力がＡＣ電源の供給可能電力を超えないように、画像形成装置は設計されなければならない。
【００３２】
第二の動作期間（２ｂ）は、ほぼ安定した使用状態である。この期間では、画像形成装置の夫々の負荷は定常状態にあり、急峻な変化は生じないので、装置の総消費電力はＡＣ電源の供給可能電力を十分に下回る。
【００３３】
以上のように画像形成装置が電力を消費する場合に、補助電源の電力供給、即ち図２のキャパシタ６４の電力供給について夫々の期間ごとに説明する。
【００３４】
定着リロード期間（１）において、装置の立ち上げ時間を更に短縮しようとした場合には、定着電力を更に増大させる必要がある。しかし、定着電力が増大した結果、装置の総消費電力が点線で示されたＡＣ電源の供給可能電力を超えてしまうと、ＡＣ電源の供給電力が供給可能な電力以下となって、システムの破綻を招くこととなる。そこで、ＤＣ負荷の一部である第二の＋２４Ｖ系負荷６７ｃへの電力供給源を補助電源であるキャパシタ６４に切替え、それによって発生したＡＣ電源６１の供給可能電力に対する余裕分を定着加熱装置６８に供給することにより、システムを破綻させずに、立ち上げ時間を更に短縮させることが可能となる。
【００３５】
また、第一の動作期間（２ａ）では、上述したようにモータ等の起動によりＤＣ負荷が増大する。本来、装置は、この過渡的なＤＣ負荷の増大に対応するように設計されなければならないが、ＤＣ負荷の増大の結果、装置の総消費電力が点線で示されたＡＣ電源の供給可能電力を超えてしまうことがある。その場合、ＡＣ電源の供給電力が供給可能な電力以下となって、システムの破綻を招くこととなる。そこで、期間（１）と同様に、ＤＣ負荷の一部である第二の＋２４Ｖ系負荷６７ｃへの電力供給源を補助電源であるキャパシタ６４に切替え、それによって発生したＡＣ電源６１の供給可能電力に対する余裕分を定着加熱装置６８に供給することにより、システムの破綻を回避することが可能となる。
【００３６】
また、第二の動作期間（２ｂ）では、上述したように装置の総消費電力はＡＣ電源の供給可能電力を十分に下回るので、期間（１）及び（２ａ）のようにキャパシタ６４を補助電源として用いる必要はない。更に、キャパシタ６４が蓄えることができる電力には限界があり、ＤＣ負荷への電力供給を連続的に行うことは不可能である。従って、ＤＣ負荷６７ｃの電力供給源は、キャパシタ６４から主電源部６２に切替えられ、キャパシタ６４自体は、ＡＣ電源からの供給電力をキャパシタ充電器６３を介して充電される。
〔変形例１〕
補助電源の供給タイミングの説明において、図３の「定着リロード期間（１）」及び「第一の動作期間（２ａ）」について夫々個別に述べたが、両期間を通じて補助電源からＤＣ負荷へ電力が供給されても良い。定着リロード期間（１）にのみ補助電源からＤＣ負荷へ電力が供給される場合には、プリント動作時に生じる定着装置の温度低下を見込んで、定着装置を所望の温度までの過熱する必要があった。しかし、定着リロード期間（１）に引き続いて第一の動作期間（２ａ）でも補助電源からＤＣ負荷へ電力を供給する場合には、プリント動作開始時の定着装置の温度低下を抑えることが可能であるから、定着リロード期間（１）での定着装置の加熱温度をより低く設定することができる。
【００３７】
このような場合において、図２の制御部７０による電力供給の制御について、図４及び図５を参照して説明する。
【００３８】
図４は、図２の制御部７０の奏する機能をブロックで示した例である。
【００３９】
図４において、制御部７０は、画像形成装置の全体を制御する手段であり、動作状態確認手段７１と、充放電制御手段７２と、電源切替え手段７３と、駆動回路制御手段７４と、経過時間測定手段７５とを有する。動作状態確認手段７１は、画像形成装置の動作状態を確認する手段であり、主電源スイッチ及び定着装置などの状態を監視し、操作部からの入力信号を受ける。充放電制御手段７２は、図２のキャパシタ６４を充放電させるようにキャパシタ充電器６３及びキャパシタコンバータ６５を制御する手段である。電源切替え手段７３は、図２の切替え回路６６を切替える手段であり、例えば、（ａ）電源投入直後若しくはオフモードからの復帰後の所定期間、（ｂ）定着リロード期間、（ｃ）定着リロード期間終了後の所定期間、又は（ｄ）定着リロード期間及び定着リロード期間終了後の所定期間に第二の＋２４Ｖ系負荷６７ｃの電力供給源を主電源部６２から補助電源６４に切替える。駆動回路制御手段７４は、図２の定着ヒータ駆動回路６２ｂを制御する手段であり、それにより定着電力が各動作期間によって切替えられる。経過時間測定手段７５は、プリンタ開始時からの時間経過を測定する手段である。
【００４０】
また、図５は、図２の制御部７０による電力供給の制御のフローチャートである。
【００４１】
主電源スイッチの投入直後又はオフモードから復帰時に、動作状態確認手段７１は、ステップＳ１において画像形成装置の動作状態を確認する。ステップＳ１において定着リロード動作（即ち、図１の定着装置１１４による用紙に転写されたトナー像の定着のための準備動作。）を実行する必要があると判断された場合には、ステップＳ２において、キャパシタ６４から第二の＋２４Ｖ系負荷６７ｃへの電力供給が開始されるように、充放電制御手段７２はキャパシタ充電器６３及びキャパシタコンバータ６５を、電源切替え手段７３は切替え回路６６を夫々制御する。次に、ステップＳ３において、駆動回路制御手段７４は、ステップＳ２の動作の結果生じたＡＣ電源の供給電力の余裕分を定着加熱装置６８に供給される電力に加えて、定着加熱装置６８への電力供給を増大するように定着ヒータ駆動回路６２ｂを制御する。ステップＳ３の動作後、定着装置はステップＳ４において定着リロード動作を開始する。
【００４２】
動作状態確認手段７１は、ステップＳ５において定着リロード動作が完了したか否かを確認し、動作が完了したと判断した場合には、更にステップＳ６において操作者によるプリント指示の有無を確認する。プリント指示があり、定着リロード動作中に供給されていた定着加熱装置への電力を定着動作時に必要な電力に切替える（即ち、図３の期間（１）の定着電力を期間（２ａ）の定着電力に切替える）必要がある場合には、駆動回路制御手段７４は、ステップＳ７において、電力がそのように切り替えられるように定着ヒータ駆動回路６２ｂを制御する。このとき、切替え回路６５は、キャパシタ６４が第二の＋２４Ｖ系負荷６７ｃへ電力を供給するように切替えられたままである。次に、定着装置はステップＳ８においてプリント動作を開始する。
【００４３】
プリント動作開始後、経過時間測定手段７５は、ステップＳ９において計時を開始し、ステップＳ１０において所定時間が経過したか否かを確認する。所定時間が経過した場合には、駆動回路制御手段７４は、ステップＳ１１において、定着動作中に供給されていた定着加熱装置への電力を通常プリント動作時に必要な電力に切替える（即ち、図３の期間（２ａ）の定着電力を期間（２ｂ）の定着電力に切替える）ように定着ヒータ駆動回路６２ｂを制御する。次に、電源切替え手段７３は、ステップＳ１２において、切替え回路６６を切替えて、第二の＋２４Ｖ系負荷６７ｃの電力供給源をキャパシタ６４から主電源部のＡＣ／ＤＣコンバータ６２ａに切替える。このとき、キャパシタコンバータ６５は、充放電制御手段７２により停止される。
【００４４】
また、定着リロード動作後、Ｓ６において続けてプリント指示がない場合には、動作はステップＳ１１に移り、制御装置７０は、キャパシタ６４の電力供給動作を停止するように動作する。
〔その他の変形例〕
補助電源の供給タイミングの説明において、定着加熱装置に大電力が必要と思われる定着リロード期間（１）及び定着リロード期間後からＤＣ負荷が過渡的に増大している間の期間（即ち、第一の動作期間（２ａ））について述べたが、これら以外の期間であっても、定着加熱装置に大電力が必要な特定される期間であれば同様の動作を適用することが可能である。例えば、定着リロード期間後にプリント動作が開始されると通紙によって定着装置の温度が落ち込むために定着加熱装置への電力を増大する必要のあるシステムに対しても適用可能である。この場合、上記「特定される期間」は、所定枚数を印刷し終わるまでの期間に相当し、用紙サイズ及び室温等をパラメータとした可変値とするとキャパシタの容量を最大限に利用することができる。
【００４５】
また、上述した実施例では、補助電源としてのキャパシタ６４から電力を供給される負荷は、ＤＣ負荷の一部である第二の＋２４Ｖ系負荷６７ｃであったが、ＤＣ負荷であればその他の負荷であっても良く、また、全てのＤＣ負荷に補助電源から電力が供給するようにしても良い。更に、キャパシタ６４の後にＤＣ／ＡＣコンバータを設けることにより、ＡＣ負荷への電力供給も可能となる。
【００４６】
また、上述した実施例では、キャパシタ６４の前のキャパシタ充電器６３は直接的にＡＣ電源６１に接続されるように構成されていたが、主電源部のＡＣ／ＤＣコンバータ６２ａの後に設けられても良い。その場合、キャパシタ充電器は、ＡＣ／ＤＣ変換の機能を有さなくても良い。
【００４７】
また、上述した実施例では、定着加熱装置６８はＡＣ電力で駆動するＡＣ負荷であったが、例えばＩＨ（Ｉｎｄｕｃｔｉｏｎ  Ｈｅａｔｉｎｇ；誘導加熱）定着などのようなＤＣ電力で駆動するＤＣ負荷であっても良い。この場合、定着加熱装置６８を駆動する定着ヒータ駆動回路６２ｂがＡＣ／ＤＣ変換器を有する等の変更を行い、ＤＣ電力が定着加熱装置６８に供給される必要がある。
【００４８】
また、図１のキャパシタユニット（即ち、図２のキャパシタ充電器６３、キャパシタ６４及びキャパシタコンバータ６５）は、夫々又は全て、当該画像形成装置の外部に設けられても良い。
【図面の簡単な説明】
【００４９】
【図１】本発明による画像形成装置の概略構成例を示す断面図である。
【図２】図１の画像形成装置の電源部のブロック図の例である。
【図３】図１の画像形成装置の立ち上げ時の消費電力の遷移をグラフ化した図である。
【図４】図２の制御部の奏する機能をブロックで示した例である。
【図５】図２の制御部による電力供給の制御のフローチャートである。
【符号の説明】
【００５０】
１  画像形成装置
１０  自動原稿送り装置（ＡＤＦ）
２０  画像読み取り装置
３０  光書き込みユニット
４０  プリンタユニット
５０  キャパシタユニット
６０  主電源スイッチ
６１  ＡＣ電源
６２  主電源部
６２ａ  ＡＣ／ＤＣコンバータ
６２ｂ  定着ヒータ駆動
６３  キャパシタ充電器
６４  キャパシタ
６５  キャパシタコンバータ
６６  切替え回路
６７ａ  ＋５Ｖ系負荷
６７ｂ、６７ｃ  ＋２４Ｖ系負荷
６８  定着加熱装置
７０  制御部
７１  動作状態確認手段
７２  充放電制御手段
７３  電源切替え手段
７４  駆動回路制御手段
７５  経過時間測定時間
１１１  感光体ドラム
１１２  現像装置
１１３  搬送ベルト
１１４  定着装置
【図１】
2007127726.tif 000003
【図２】
2007127726.tif 000004
【図３】
2007127726.tif 000005
【図４】
2007127726.tif 000006
【図５】
2007127726.tif 000007